(57)【要約】【課題】  製造が簡単でペン体の外観形状があまり不自然にならず、かつ比較的正確な線幅で線引きできる筆記具を提供する。【解決手段】  軸筒１の先端開口にプラスチックやフェルトからなる棒状のペン体４が取り付けられ、このペン体の尾端部４１が軸筒内に収容されたインキ吸蔵体２に差し込まれた筆記具において、ペン体の先端を、横断面形状が正方形の４隅を円弧長さの異なる円弧にて軸線方向に切り欠き、ペン体の先端面に円弧状の切欠き部４５を挟んで長さの異なる４個の線引き用の辺４４を形成した形状にする。【選択図】  図２
2005153371.tif 000002
【特許請求の範囲】
【請求項１】
軸筒の先端開口にプラスチックやフェルトからなる棒状のペン体が取り付けられ、該ペン体の尾端部が軸筒内に収容されたインキ吸蔵体に差し込まれた筆記具において、
前記ペン体の先端は、横断面形状が正方形の４隅が円弧長さの異なる円弧にて軸線方向に切り欠かれて、ペン体の先端面に円弧状の切欠き部を挟んで長さの異なる４個の線引き用の辺が形成されたことを特徴とする筆記具。
【発明の詳細な説明】
【技術分野】
【０００１】
本発明は、マーキングペン、マーカー、フェルトペンなどと称される筆記具に関し、更には、１個のペン体で線幅の異なる複数の筆跡で線引きが可能な筆記具に関する。
【背景技術】
【０００２】
マーキングペン、マーカー、フェルトペンなどと称される筆記具は、軸筒内に極細繊維を引き揃えて棒状に成形したインキ吸蔵体を収容し、軸筒の先端開口にプラスチックやフェルトからなる丸棒や角棒のペン体を取り付けるとともに、ペン体の後端部をインキ吸蔵体に差し込み、インキ吸蔵体に吸蔵されたインキをペン体に供給して文字の筆記や線引きを可能にしたものが多い。
【０００３】
かかる筆記具において、文字や線の筆跡の巾はペン体の先端の大きさによってほぼ定まるが、１個のペン体で筆跡の巾が異なる文字を筆記したり線引きできれば便利である。そこで、ペン体の先端面を１辺の長さが異なる多角形にし、ペン体の所定の辺を筆記面に接触させて筆記することにより文字や線の筆跡を所望の巾にできる筆記具が知られている。また、辺の中央部に筆記面に接触しない凹部を形成して平行線を線引きできるようにした筆記具も知られている。
【０００４】
しかし、ペン体の先端面を１辺の長さが異なる多角形にすると、美しい形状である正多角形と異なり形状が不自然で外見上好ましくなく、製造も手間がかかる不具合がある。また、１の辺を筆記面に接触させて線引きする場合、隣接する辺は筆記面に直角ではなく、ある角度を有することが多い。つまり、多角形の辺数が多くて線幅の異なる複数の筆跡で線引きできるようにしたものほどこの角度が小さくなって隣接する辺の端部は筆記面に接近する。したがって、ペン体の先端面が辺数の多い多角形の場合は、筆記時においてインキが筆記面と隣接する辺の端部の小さな隙間に入り込み、つまりインキが筆記面に接触した辺の端部からはみ出し、線引きした筆跡の巾が広くなって所望の線幅で線引きできない不具合がある。
【特許文献１】登録実用新案公報第３０２２９２１号
【発明の開示】
【発明が解決しようとする課題】
【０００５】
そこで本発明は、製造が簡単でペン体の外観形状があまり不自然にならず、かつ比較的正確な線幅で線引きできる筆記具を提供することを目的とする。
【課題を解決するための手段】
【０００６】
かかる目的を達成するために、本発明は、軸筒の先端開口にプラスチックやフェルトからなる棒状のペン体が取り付けられ、このペン体の尾端部が軸筒内に収容されたインキ吸蔵体に差し込まれた筆記具において、ペン体の先端を、横断面形状が正方形の４隅を円弧長さの異なる円弧にて軸線方向に切り欠き、ペン体の先端面に円弧状の切欠き部を挟んで長さの異なる４個の線引き用の辺を形成した形状にする。
【発明の効果】
【０００７】
１本の筆記具で線幅の異なる線引きを可能にする場合、実用上線幅があまり極端に異なるものを要求されることはないが、ペン体の先端面に円弧状の切欠き部を挟んで長さの異なる４個の辺を形成するので、各辺の長さを大きく異なるものでない場合は、正八角形に近い形状になり、不自然さがなくて外観上好ましい。また、ペン体の先端形状は正方形をベースにして形成するので製造にあまり手間がかからない利点がある。そして、筆記面に接触する辺の端部は円弧状の切欠き部に連接するので、筆記面と円弧状の切欠き部の端部の隙間が大きくなり、インキが筆記面に接触する辺からはみ出しにくく、所望の線幅で線引きすることかできる。
【発明を実施するための最良の形態】
【０００８】
製造が簡単でペン体の外観形状があまり不自然にならず、かつ比較的正確な線幅で線引きできるという目的を、ペン体の先端を、横断面形状が正方形の４隅を円弧長さの異なる円弧にて軸線方向に切り欠き、ペン体の先端面に円弧状の切欠き部を挟んで長さの異なる４個の線引き用の辺を形成した形状にすることにより実現した。
【実施例１】
【０００９】
図１は線引き用のペン体と文字を筆記用のペン体が軸筒の両端に取り付けられた両頭筆記具を示すが、図１において、合成樹脂で成形された軸筒１の内部に極細繊維を引き揃えて棒状に成形したインキ吸蔵体２が収容されており、軸筒１内面の縦リブ１２により保持されている。軸筒１の尾端側には小径部１１が形成されており、この小径部１１にフェルトや内部に連続気泡を有するプラスチックで丸棒状に成形された文字筆記用ペン体５が取り付けられている。ペン体５の尾端部５１はインキ吸蔵体２に差し込まれており、インキ吸蔵体２に吸蔵されたインキがペン体５に供給される。ペン体５の不使用時にはキャップ７が軸筒１の尾端部に嵌着される。
【００１０】
軸筒１の先端開口には先口３が嵌着されている。この先口３の先端開口部３１に線引き用のペン体４が取り付けられており、ペン体４の先端部４２が先口３から突出している。そして、ペン体４の尾端部４１はインキ吸蔵体２に差し込まれており、インキ吸蔵体２に吸蔵されたインキがペン体４に供給される。ペン体４の不使用時にはキャップ６が軸筒１の先端部に嵌着される。
【００１１】
ペン体４は、フェルトや内部に連続気泡を有するプラスチックなどにて成形され、図２に示すように、尾端部４１は４角形をした棒状である。ペン体４の先端部４２は、尾端部４１より大きな正方形をした先端面４３の４隅を円弧長の異なる４個の円弧状の切欠き部４５にて軸線方向に切り欠かれたものである。したがって、先端面４３は４個の切欠き部４５と４個の辺４４（４４ａ，４４ｂ，４４ｃ，４４ｄ）からなる略八角形状をしている。４個の切欠き部４５は円弧長がそれぞれ異なるので、４個の辺４４の長さもそれぞれ異なる。具体例を挙げれば、辺４４ａが８．０ｍｍ、辺４４ｂが６．０ｍｍ、辺４４ｃが４．０ｍｍ、辺４４ｄが３．０ｍｍである。
【００１２】
このように、ペン体４に長さの異なる４個の辺４４が形成されているので、いずれかの辺４４を筆記面に当てて線引きすると、その辺４４の長さに対応した線幅の線引きができる。このとき、辺４４の両側の切欠き部４５が円弧状であるので、切欠き部４５の端部は筆記面に対して垂直に近くなって筆記面との隙間が大きくてインキがその隙間にはみ出しにくく、したがって、辺４４の長さに対応した線幅の線引きを正確に行うことができる。そして、切欠き部４５を筆記面に向けて線引きすると、つまり、２個の辺４４の端部を筆記面に当てて線引きすると、線幅は細いが、間隔の異なる４種類の平行線の線引きも行うことができる。また、辺４４は、正方形の４隅を円弧状に切り欠いて形成するので、製造が簡単である。
なお、辺４４の数は４個であり、線幅は４種類に限られるが、線幅が４種類あれば実用上ほとんど支障がない。また、線幅の範囲もはそれほど広いもの、つまり１本の筆記具で極めて太い線幅と極めて狭い線幅の線引きを行う必要性は少なく、例えば前述の３．０ｍｍから８．０ｍｍの範囲で実用上支障かない。そして、この範囲を小さくすると、つまり、各辺４４の長さの最大と最小の差を小さくすると、ペン体４の先端面４３の形状が正八角形に近づき、外観上は好ましい。
【図面の簡単な説明】
【００１３】
【図１】本発明実施例の断面図である。
【図２】ペン体の頂面図（Ａ）、正面図（Ｂ）、平面図（Ｃ）である。
【符号の説明】
【００１４】
１    軸筒
１１    小径部
１２    縦リブ
２    インキ吸蔵体
３    先口
４    線引き用のペン体
４１    ペン体の尾端部
４２    ペン体の先端部
４３    ペン体の先端面
４４    辺
４５    切欠き部
５    文字筆記用のペン体
６    キャップ
７    キャップ
【図１】
2005153371.tif 000003
【図２】
2005153371.tif 000004